(57)【要約】      （修正有）【課題】煙を吸引しても所望の発泡倍率を得られるようにする。【解決手段】高膨張泡消火設備において、液温２０℃±１℃の条件下で最大泡圧法によりライフタイム１００ｍｓｅｃで測定された動的表面張力について、前記泡水溶液の動的表面張力の値が１８ｍＮ／ｍ〜２４ｍＮ／ｍとなるように、泡消火薬剤を２％以上の濃度で水に混合して泡を放出する。【選択図】図１
2011139798.tif 000002
【特許請求の範囲】
【請求項１】
液温２０℃±１℃の条件下で最大泡圧法によりライフタイム１００ｍｓｅｃで測定された動的表面張力について、前記動的表面張力の値が２５ｍＮ／ｍ以下である泡水溶液を使用して泡を放出することを特徴とする高膨張泡消火設備。
【請求項２】
液温２０℃±１℃の条件下で最大泡圧法によりライフタイム１００ｍｓｅｃで測定された動的表面張力について、前記動的表面張力の値が１８ｍＮ／ｍ〜２３ｍＮ／ｍである泡水溶液を使用して泡を放出することを特徴とする高膨張泡消火設備。
【請求項３】
液温２０℃±１℃の条件下で最大泡圧法によりライフタイム１００ｍｓｅｃで測定された動的表面張力について、前記泡水溶液の前記動的表面張力の値が１８ｍＮ／ｍ〜２４ｍＮ／ｍとなるように、泡消火薬剤を２％以上の濃度で水に混合して泡を放出することを特徴とする請求項１記載の高膨張泡消火設備。
【発明の詳細な説明】
【技術分野】
【０００１】
この発明は、石油タンクのピット、石油コンビナートのカルバート、或いは、船室、船倉等に用いられる、高膨張泡消火設備に関するものである。
【背景技術】
【０００２】
建物の消火設備としては、通常、スプリンクラ消火設備が配置されることが多く、水の放水によって火災を消火している。これに対し、石油タンクや船室などには、油火災に備え、高膨張泡消火設備が設置されている。
【０００３】
前記高膨張泡消火設備では、放射ノズルから泡水溶液を放出し、それを発泡用網に衝突させて空気を巻き込むことにより発泡させ、この泡で火源を埋め尽くして窒息消火を行っている。ここで泡水溶液と生成された泡の体積比を示す発泡倍率が、８０以上１０００未満となるものを、高膨張泡消火設備という。
【０００４】
この高膨張泡消火設備では、泡を放出するために、水に合成界面活性剤泡消火薬剤などを３％程度の割合で水に混合させている。
水そのものは、表面張力の大きい液体であるが、この水に前記泡消火薬剤を混合して泡水溶液にすると、表面張力が小さくなり、泡立ちやすくなる。
【０００５】
高膨張泡、例えば、発泡倍率５００以上で泡を発生させるためには、放射ノズルの上流側から大量の空気を取り込む必要があり、大量の空気を取り込む場合には、室外の空気を吸引する方式（「アウトサイドエア」という）が一般的である。
【０００６】
しかし、このアウトサイドエアでは、外部の空気を利用するため、建屋にダクトを貫設したり、隔壁に穴を開けて泡発生機(発泡機)を配設したりするので、コストが嵩む等の問題がある。
【０００７】
そこで、上記問題を解決するため、泡を放出する区画内の空気を吸引する方式(「インサイドエア」という)の高膨張泡消火設備が用いられている(例えば、特許文献１、参照)。
【先行技術文献】
【特許文献】
【０００８】
【特許文献１】特開平０６−１６５８３７号公報
【発明の概要】
【発明が解決しようとする課題】
【０００９】
インサイドエアの高膨張泡消火設備では、アウトサイドエアの高膨張泡消火設備に比べ、著しく発泡倍率が低下するが、その主な原因は、火災の発生により室内に発生する「煙」である。この煙は、固体の微粒子、例えば、粒径１μｍ以下の微粒子、となって室内に浮遊する。この微粒子が、放射区画の空気に混じって泡発生機の空気吸引部に吸引されたときに、空気と一緒になって起泡部に供給され、発泡倍率を低下させているのである。
【００１０】
この発明は、上記事情に鑑み、煙を吸引しても所望の発泡倍率を得られるようにすることを目的とする。
【課題を解決するための手段】
【００１１】
この発明は、液温２０℃±１℃の条件下で最大泡圧法によりライフタイム１００ｍｓｅｃで測定された動的表面張力について、前記動的表面張力の値が、２５ｍＮ／ｍ以下である泡水溶液を使用して泡を放出することを特徴とする。
【００１２】
この発明は、液温２０℃±１℃の条件下で最大泡圧法によりライフタイム100ｍｓｅｃで測定された動的表面張力について、前記動的表面張力の値が１８ｍＮ／ｍ〜２３ｍＮ／ｍである泡水溶液を使用して泡を放出することを特徴とする。
この発明は、液温２０℃±１℃の条件下で最大泡圧法によりライフタイム100ｍｓｅｃで測定された動的表面張力について、前記泡水溶液の前記動的表面張力の値が１８ｍＮ／ｍ〜２４ｍＮ／ｍとなるように、泡消火薬剤を２％以上の濃度で水に混合して泡を放出することを特徴とする。
【発明の効果】
【００１３】
この発明は、液温２０℃±１℃の条件下で最大泡圧法によりライフタイム１００ｍｓｅｃで測定された動的表面張力について、前記動的表面張力の値が、２５ｍＮ／ｍ以下、例えば、１８ｍＮ／ｍ〜２３ｍＮ／ｍである泡水溶液を使用するので、煙環境下においても所望の発泡倍率を得ることができる。
【図面の簡単な説明】
【００１４】
【図１】本発明の第１実施例を示す図で、動的表面張力とライフタイムとの関係を示すグラフである。
【図２】本発明の第１実施例を示す図で、試料、動的表面張力、発泡倍率などをまとめて表にしたものである。
【発明を実施するための最良の形態】
【００１５】
本発明者は、前記問題を解決するためには、煙粒子を除去すれば良いことに気がついたが、それを除去しなくとも発泡倍率の低下を防止することができるのではないか、と考えた。
【００１６】
発明者らは、これまでの研究から、煙により発泡倍率が低下する現象は、泡膜表面における界面活性剤分子と煙粒子の反応により起こるものと推測した。つまり、発泡時、煙を吸引した場合に、煙粒子との反応で泡膜表面の界面活性剤分子密度が低下し、発泡倍率の著しい低下という現象が発生するものと推測した。
【００１７】
従来、高膨張泡（Ｈｉ−Ｅｘ）消火設備では、合成界面活性剤泡消火薬剤を３％程度の水溶液に希釈して使用している。これら泡水溶液の静的(平衡時)表面張力は、２２ｍＮ／ｍ程度となっている。しかし、ノズルから液滴状に放射され発泡網上で泡が成膜する「発泡」という動的な状態において、泡水溶液は、短時間に表面形状・表面積が急激に変化する。
【００１８】
そのため、泡を形成する時間となる表面齢が短くなるほど泡膜表面への界面活性剤分子の吸着が追いつかなくなり動的な状態の表面張力が大きくなる。例えば最大泡圧法で測定した場合、前述の泡水溶液の動的表面張力は、気泡ライフタイムが100ｍｓｅｃでは３０ｍＮ／ｍ以上にもなってしまう。
なお、ここで「表面齢」（surface age）とは、泡など水溶液と空気との界面が形成されるのに要する時間であり、最大泡圧法では「ライフタイム」に相当するものである。
【００１９】
この動的表面張力の値は、その値が大きくなるほど、泡膜表面の界面活性剤密度が低くなることを意味している。一方、発泡時、煙を吸引した場合には、煙粒子との反応で泡膜表面の界面活性剤分子密度は更に低下して、発泡倍率は著しく低下する。
【００２０】
従って、煙に対する耐久性を向上させて発泡倍率の低下を起き難くするには、泡成膜時の表面の界面活性剤密度を高くすることが有効であると考えた。この泡成膜時の表面の界面活性剤密度は、後述するように、動的表面張力の値に反映され、動的表面張力が低いほど表面における界面活性剤密度は高くなる。
【００２１】
発明者らは、このような考察に基づき、種々の実験から泡水溶液の動的表面張力を所定の範囲で調整することにより、煙を吸引しても所望の発泡倍率が得られることを見出したので、以下に詳細に説明する。
【００２２】
まず初めに、「最大泡圧法による動的表面張力の測定方法」について説明する。
動的表面張力の測定方法は、最大泡圧法（「バブルプレッシャー法」とも言う）をはじめ滴下容量法など種々の方法がある。これらの適応時間範囲や再現性などを検討した結果、泡水溶液の動的表面張力測定には、前記「最大泡圧法」が最適であることが分かったので、この測定方法を採用することにした。
【００２３】
そこで、前記最大泡圧法について説明する。
泡水溶液の中に差し込んだプローブと呼ばれる細い管の先から、圧縮空気を使って気泡を押し出す。この方法は、いわば、コップに入れた水の中にストローを差し込んでブクブク泡を起てる様な方法である。このプローブの根元に圧力センサを設け、気泡の生成に伴ってプローブ内の内圧の変化を前記圧力センサで検出する。
【００２４】
気泡の生成に伴ってプローブ内の圧力が上昇していくが、最初の内圧をＰ０、最大になった時点の内圧をＰｍａｘとすると、ヤング・ラプラスの式から、泡水溶液の表面張力γは、次の様な式で表される。なお、ここでｒはプローブ孔の半径を示す。
γ＝（Ｐｍａｘ−Ｐ０）ｒ／２
このように、気泡生成に伴う圧力変化から表面張力を算出する方法が「最大泡圧法」である。この式から、動的表面張力が小さいほど、小さな圧力で泡ができることになる。
【００２５】
なお、気泡が生成され始めて（Ｐ０）から内圧が最大（Ｐｍａｘ）になるまでの時間を「ライフタイム」と呼ぶ。このライフタイムを変化させることにより、色々な時間域での表面張力を測定することができる。
【００２６】
最大泡圧法の動的表面張力計として、「ＢＰ−Ｄ５」（商品名  協和界面科学株式会社製）、ＳＩＴＡｔ６０（商品名  英弘精機株式会社製）を使用した。
【００２７】
最大泡圧法で測定した泡水溶液の「動的表面張力とライフライムとの関係について、図１を用いて説明する。
このグラフは、液温２０℃±１℃において、次の試料（Ｎｏ．１〜Ｎｏ．４）を用いて気泡のライフタイムを１０ｍｓｅｃから１００００ｍｓｅｃ（１０秒）まで変化させて測定した動的表面張力γ（ｍＮ／ｍ）をプロットしたものである。一般に温度が上昇すると、液体の分子運動は活発になるため、その表面張力は小さくなっていく。したがって、動的表面張力の測定に際しても試料の液温は管理する必要があり、本発明においては２０℃±１℃において測定した。
【００２８】
Ｎｏ．１  泡水溶液Ａ３：フッ素系界面活性剤を主成分とする泡消火薬剤Ａ。この泡消火薬剤Ａを水との混合割合、即ち濃度３％で使用。なお、以下の薬剤に関しても「濃度」は、水との混合割合を示している。
Ｎｏ．２  泡水溶液Ａ６：フッ素系界面活性剤を主成分とする泡消火薬剤Ａを濃度６％で使用。
Ｎｏ．３  泡水溶液Ｃ３：高膨張泡消火設備で使用されている炭化水素系界面活性剤を主成分とする合成界面活性剤泡消火薬剤Ｃを標準濃度３％で使用。
Ｎｏ．４  泡水溶液Ｅ３：低膨張泡消火設備で使用されているフッ素系界面活性剤を主成分とする水成膜泡消火薬剤Eを標準濃度３％で使用。
【００２９】
測定結果は、図１（グラフ）に示す通りであるが、このグラフにおいて、縦軸は動的表面張力γ（ｍＮ／ｍ）を、横軸はライフタイム（ｍｓｅｃ）をそれぞれ示している。
【００３０】
グラフを見て分かるように、各試料の動的表面張力γ（ｍＮ／ｍ）は、ライフタイムが短いほど大きく、ライフタイムが長くなるにしたがい減少していく。ここで、ライフタイムを無限大に延ばした場合の表面張力が、いわゆる「静的(平衡時)表面張力」に相当する。そして、測定した各試料の液温２０℃±１℃℃における静的表面張力は、泡水溶液Ａ３、Ａ６およびＥ３がいずれも約１６ｍＮ／ｍ、泡水溶液Ｃ３が２２ｍＮ／ｍであった。
【００３１】
図１のグラフでは、泡水溶液Ａ３と泡水溶液Ａ６を比べると、ライフタイムが１０００ｍｓｅｃ以上では重なって差が見られなくなる。一方、ライフタイムが１０００ｍｓｅｃ以下で短くなるほど両者の差が明確に開いていき、１００ｍｓｅｃでは泡水溶液Ａ３が約２２ｍＮ／ｍ、Ａ６が約２０ｍＮ／ｍとなった。つまり、同じ泡薬剤でも、濃度の高い方が動的表面張力は小さくなる。この様な相違が発生するのは、界面活性剤の含有量によるものと考えられる。
また、同じ泡薬剤濃度でも、炭化水素系界面活性剤Ｃよりもフッ素系界面活性剤Ａ、Ｅの方が動的表面張力が小さい。例えば、ライフタイム１００ｍｓｅｃにおける泡薬剤Ｃ３の動的表面張力は、３３ｍＮ／ｍ、泡薬剤Ｅ３の動的表面張力は２７ｍＮ／ｍ、泡薬剤Ａ３の動的表面張力は２２ｍＮ／ｍ、である。このような相違が発生するのは、泡薬剤に含有されている界面活性剤の種類によるものと考えられる。
【００３２】
市販されている動的表面張力計によっては、３０ｍｓｅｃ以下のライフタイムでの表面張力が測定できない物もあることから、上記のような泡水溶液の動的表面張力特性を比較するには、ライフタイムが１００ｍｓｅｃ程度で測定した値を用いるのが有効である。
【００３３】
次に、「動的表面張力と煙中での発泡倍率との関係」について説明する。
上記関係を知るために、図２の試料（No.１〜No.１４）を用いてライフタイム100msecにおける動的表面張力γ（mN/m）の測定および煙中での発泡倍率、無煙状態での発泡倍率の測定を行った。
【００３４】
No.１−７  （本発明）泡水溶液Ａ：フッ素系界面活性剤を主成分とする泡消火薬剤Aを２，３，７，９，１０，１２，１４％で使用
No.８−１０  （本発明）泡水溶液Ｂ：従来の低膨張泡消火設備で使用されているフッ素系界面活性剤を主成分とする水成膜泡消火薬剤Bを５，１０，12％で使用
No.１１  （従来品）比較例Ｃ：従来の高膨張泡消火設備で使用されている合成界面活性剤泡消火薬剤Cを標準濃度３％で使用（主成分は炭化水素系界面活性剤）
No.１２  （従来品）比較例Ｄ：従来の高膨張泡消火設備で使用されている合成界面活性剤泡消火薬剤Dを標準濃度３％で使用（主成分は炭化水素系界面活性剤）
No.１３  （従来品）比較例Ｅ：従来の低膨張泡消火設備で使用されている水成膜泡消火薬剤Eを標準濃度３％で使用（主成分はフッ素系界面活性剤）
No.１４  （従来品）比較例Ｆ：従来の低膨張泡消火設備で使用されている水成膜泡消火薬剤Fを標準濃度の2倍の６％で使用（主成分はフッ素系界面活性剤）
【００３５】
測定結果は、図２（表）に示す通りである。なお、煙中での発泡倍率は、ゴムタイヤを燻焼させ、減光率15%/mの煙濃度において測定したものである。また、動的表面張力γは、試料の液温２０℃±１℃において測定したものである。
【００３６】
図２を見て分かるように、ライフタイム100msecにおける動的表面張力γが小さいほど、煙中での発泡倍率は高くなっている。高膨張泡消火設備として実用に供するには、発泡倍率が約300倍以上あれば良いので、グラフから泡水溶液の動的表面張力は25mN/m以下であれば良いことが分かる。つまり、図２の表中では、試料Ｎｏ３の動的表面張力の値が２４で、煙中での発泡倍率が３３０倍であることから、発泡倍率が約３００倍以上となるには、動的表面張力が25mN/m以下であれば良いのである。
また、図２の試料No.１〜７、および試料No.８〜１０を見て分かるように、それぞれ泡薬剤濃度が高くなるに伴い、発泡倍率も高くなることが分かる。
このように、100msecにおける動的表面張力が25mN/m以下になるようにするには、平衡表面張力が小さい方が比較的少ない薬剤濃度で動的表面張力を小さくすることができる。そのためには、同じ薬剤濃度でも平衡表面張力が小さいフッ素系界面活性剤を主成分とする泡消火薬剤を使用することが望ましく、泡水溶液の平衡表面張力は、１６〜１８mN/mであることが好ましい。
しかし、フッ素系界面活性剤を主成分とする「水成膜泡消火薬剤」は、通常の濃度条件（３〜４％）では「合成界面活性剤泡消火薬剤」より無煙状態の発泡倍率が小さくなるという問題のため、これまで高膨張泡消火設備には使用されてこなかった。
図2の試料No.１〜７で使用した泡消火薬剤Ａは、従来の「水成膜泡消火薬剤」として製造されているものよりフッ素系界面活性剤を高濃度に調製した泡消火薬剤である。また、試料No.８〜１０に使用した泡消火薬剤Ｂは、従来から低膨張泡消火設備用水成膜泡消火薬剤として標準濃度３％で使用しているもので、4％以上の混合濃度で使用することによりライフタイム100msecにおける動的表面張力が25mN/m以下となるものである。
【００３７】
比較例として従来品の泡水溶液Ｃ，Ｄ，Ｅ，Ｆは、いずれもライフタイム100msecにおける動的表面張力が27mN/m以上となり、煙中での発泡倍率も200倍以下となっており実用には適しない。
一方、本発明の泡水溶液ＡおよびＢは、いずれもライフタイム100msecにおける動的表面張力が25mN/m以下となっており、煙中の発泡倍率も300倍以上となり、高膨張泡消火設備として実用に適している。
また、上述したように泡消火薬剤濃度が高くなると動的表面張力は小さくなるのに伴い、煙中での発泡倍率が高くなる。しかし、液温２０℃±１℃で測定したライフタイム100msecにおける動的表面張力の値が１８mN/m以下になると、煙中での発泡倍率が飽和して、それ以上泡消火薬剤濃度を高くしても発泡倍率は増大しなくなる。
泡消火薬剤濃度が増加するのに伴って、設備として貯蔵する泡消火薬剤量が増加するので、設備のコストも増大していく。煙中での発泡倍率が飽和する、液温２０℃±１℃℃で測定したライフタイム100msecにおける動的表面張力値が１８mN/m以下となる泡消火薬剤濃度では、設備コストの増大に見合うだけの発泡倍率増大効果が得られない。
これらのことから、本発明の高膨張泡消火設備に使用する実用上有効な泡水溶液は、液温２０℃±１℃で測定したライフタイム100msecにおける動的表面張力が１８〜２５mN/m以下であることが好ましい。
【００３８】
さらに、動的表面張力を23mN/m以下とすることで、煙中での発泡倍率が400倍以上となるので、より好ましい。高膨張泡消火設備に使用する本発明の泡水溶液は、ライフタイム100msecにおける動的表面張力が小さいほど発泡倍率が向上するので特に制限は無いが、上述のように動的表面張力が18mN/m以下では、発泡倍率の伸びが飽和してしまうので、実用上は18mN/mを下限値とすることが好ましい。または、下限値は、平衡表面張力がとる値としてもよい。
【００３９】
高膨張泡消火設備に使用する本発明の泡消火薬剤として調製した泡消火薬剤Ａは、水との混合濃度２％の場合、液温２０℃±１℃で測定したライフタイム100msecにおける動的表面張力が24mN/m以下となる。（図2、試料Ｎｏ．１）
従って、高膨張泡消火設備には、この本発明の泡消火薬剤を２％以上の濃度で混合した泡水溶液を使用することが好ましく、これにより煙中でも300倍以上の発泡倍率を得ることが出来る。
また、混合濃度の上限値は、ライフタイム100msecにおける動的表面張力の値が１８mN/mとなる10%とすることが好ましい。
【００４０】
高膨張泡消火設備に使用する本発明の泡水溶液は、フッ素系界面活性剤などミセル臨界濃度以上の濃度における静的表面張力が小さくなる界面活性剤を含有した泡消火薬剤を使用することが好ましい。
従来の高膨張泡消火設備で使用されている泡消火薬剤は、炭化水素系界面活性剤を主成分とする消防検定規格上の「合成界面活性剤泡消火薬剤」である。この静的表面張力は、前述の例にもあるように約22mN/m程度である。
【００４１】
それに対して、消防検定規格上の「水成膜泡消火薬剤」は、主成分としてフッ素系界面活性剤を含有しており、一般に0.5%以下の混合濃度で平衡表面張力が下限値で飽和するミセル臨界濃度になると言われ、その値は16〜17mN/m程度となる。前出の図１（グラフ）の泡水溶液Ｃ３とＥ３を見ても分かるように、平衡表面張力値の小さい方が動的表面張力も相対的に小さくなる傾向がある。したがって、前記「水成膜泡消火薬剤」のようにフッ素系界面活性剤を含有している方が、煙状況下で使用される泡水溶液に用いる泡消火薬剤として適している。
以上のように、煙のある場合の発泡性能を向上させるためには、動的表面張力を小さくする必要があることが分かったが、泡水溶液の動的表面張力の特徴から、その方法として次のことが言える。つまり、泡薬剤に関して、「泡消火剤の主成分を、水成膜・フッ素系界面活性剤にすること」、「界面活性剤の濃度を高くすること」である。
【００４２】
ここで、フッ素系界面活性剤を含有する従来の水成膜泡消火薬剤（泡水溶液Ｅ，Ｆ）の動的表面張力を調べた結果、何れの薬剤も標準使用濃度では液温２０℃±１℃で測定したライフタイム100msecにおける動的表面張力が2６mN/m以上となり、煙状況下における高膨張泡消火設備に使用するには適さない。しかし、標準使用濃度より高濃度に調整することで、ライフタイム100msecにおける動的表面張力が25mN/m以下にすることが出来ることが判明した。
【００４３】
上述のように、本発明の高膨張泡消火設備に使用した泡消火薬剤Ｂは、従来から低膨張泡消火設備用水成膜泡消火薬剤として標準濃度３％で使用しているもので、ライフタイム100msecにおける動的表面張力が4％以上の混合濃度で25mN/m以下となるものである。本発明ではこの泡消火薬剤Ｂを５％以上の濃度で使用することにより、煙中での発泡倍率400倍以上を得ることができる。
【００４４】
しかし、何れの水成膜泡消火薬剤でも標準使用濃度より高濃度にすれば、必ずしも本発明の高膨張泡消火設備に使用できるとは限らない。例えば、前出の図2の従来品Ｆのように、標準使用濃度の2倍の６％にしても、ライフタイム100msecにおける動的表面張力が約28mN/mとなって、煙中の発泡倍率も200倍に満たないものある。
この泡消火薬剤Fを使用した場合は、ライフタイム100msecにおける動的表面張力を25mN/m以下にするためには、10％以上の濃度にする必要があるが、それでは濃度が高すぎて消火設備としてのコストが嵩み不適当である。
また、泡薬剤の濃度を高めることで、発泡倍率を高くすることができるが、濃度を上げても発泡倍率は飽和してしまう。このため必要以上に濃度を上げることは、添加するフッ素系界面活性剤と増やすことになり、薬剤コストを高めることになる。よって動的表面張力を小さくすることで、発泡倍率を高めることが可能であるが、この発泡倍率の飽和を考慮すると、動的表面張力γの下限値は、およそ１８ｍＮ／ｍが適当な値となる。
【００４５】
ところで、従来の高膨張泡消火設備では、煙中で消火に有効な倍率まで発泡させることが出来なかったため、無煙状態における発泡倍率しか問題にされなかった。図２の表に示すように、無煙状態の発泡倍率と平衡表面張力や動的表面張力との間に明確な相関関係が見られない。
洗剤等の分野では、過去に洗剤（主成分は炭化水素系界面活性剤）の動的表面張力と起泡性（泡立ちの良さ）との相関が研究されてきた。その結果、動的表面張力が小さい方が、泡立ちが良いという相関が分かってきたが、それは清浄な（無煙状態の）空気中における関係であった。
従来の高膨張泡消火設備で使用されてきた「合成界面活性剤泡消火薬剤」の主成分は、これら洗剤と同様の「炭化水素系界面活性剤」であるが、煙中での発泡倍率は、濃度を変えて（動的表面張力を変化させて）も、消火に有効な発泡倍率の泡を得ることが出来なかった。なお、同じ薬剤濃度でも平衡表面張力および動的表面張力が小さいフッ素系界面活性剤を主成分とする「水成膜泡消火薬剤」は、通常の濃度条件では「合成界面活性剤泡消火薬剤」より無煙状態の発泡倍率が小さくなるという問題のため、これまで高膨張泡消火設備には使用されてこなかった。
以上のような事情のため、高膨張泡消火設備の分野においては、これまで煙中で有効な発泡倍率を得られるような発泡性能と動的表面張力との関係については研究されてこなかった。
【符号の説明】
【００４６】
Ａ３  泡水溶液
Ａ６  泡水溶液
Ｃ３  泡水溶液
Ｅ３  泡水溶液
【図１】
2011139798.tif 000003
【図２】
2011139798.tif 000004